(57)【特許請求の範囲】
【請求項１】
中央シート部の左右にそれぞれ側方シート部が折返し状態で連設されており、左右の側方シート部を開くことで見開き状態にできる印刷物であって、中央シート部には、左右の側方シート部のいずれもが掛かる位置に葉書部分が切抜きにより区画されており、左右の側方シート部は、いずれもが葉書部分を除く周辺領域で粘着剤により中央シート部に貼着されており、一方の側方シート部が重なる切抜きのところに葉書部分が動かないようにつなぎが残されており、他方の側方シート部が重なる葉書部分のところに位置する仮止め箇所で葉書部分は浮き上がらないように粘着剤により他方の側方シート部と貼着されていることを特徴とする葉書付き印刷物。
【請求項２】
中央シート部の左右にそれぞれ側方シート部が折返し状態で連設されており、左右の側方シート部を開くことで見開き状態にできる印刷物であって、左右の側方シート部の間に隙間があり、中央シート部には、左右の側方シート部のいずれもが掛かる位置に葉書部分が切抜きにより区画されており、左右の側方シート部は、いずれもが葉書部分を除く周辺領域で粘着剤により中央シート部に貼着されており、葉書部分を区画する切抜きには、左右の側方シート部の間にある隙間のところに葉書部分が動かないようにつなぎが残されており、少なくとも左右いずれか一方の側方シート部が重なる葉書部分のところに位置する仮止め箇所で葉書部分は浮き上がらないように粘着剤により左右いずれかの側方シート部と貼着されていることを特徴とする葉書付き印刷物。
【請求項３】
中央シート部の左右にそれぞれ側方シート部が折返し状態で連設されており、左右の側方シート部を開くことで見開き状態にできる印刷物であって、左右の側方シート部は、いずれもが周辺領域で粘着剤により中央シート部に貼着されており、いずれか一方の側方シート部には、葉書部分が切抜きにより区画されており、側端縁に近い方か遠い方のいずれかに位置する切抜きのところに葉書部分が動かないようにつなぎが残されており、つなぎが残された方とは反対側に位置する仮止め箇所で葉書部分は浮き上がらないように粘着剤により中央シート部と貼着されていることを特徴とする葉書付き印刷物。
【請求項４】
中央シート部の左右いずれかに側方シート部が折返し状態で連設されており、その側方シート部を開くことで見開き状態にできる印刷物であって、側方シート部は、周辺領域で粘着剤により中央シート部に貼着されており、その側方シート部には、葉書部分が切抜きにより区画されており、側端縁に近い方か遠い方のいずれかに位置する切抜きのところに葉書部分が動かないようにつなぎが残されており、つなぎが残された方とは反対側に位置する仮止め箇所で葉書部分は浮き上がらないように粘着剤により中央シート部と貼着されていることを特徴とする葉書付き印刷物。
【発明の詳細な説明】
【技術分野】
【０００１】
本発明は、新聞の折込みチラシとして使用するのに好適な印刷物の技術分野に属し、詳しくは、一部に葉書部分を備えた葉書付き印刷物に関するものである。
【背景技術】
【０００２】
従来より、広告の一手段として、全国紙等の新聞に折込みチラシを挟んで配達することが行われている。そして、例えば広告を見てすぐに応募したり資料請求が行えるようにとの観点から、切取り可能な葉書部分を一部に備えた葉書付き印刷物が利用されており、それらの中でも、広告量の多い見開き状態とすることができるタイプであって、かつ葉書部分の付いたタイプの印刷物が知られている（例えば、特許文献１，２参照）。
【０００３】
特許文献１に記載の印刷物は、チラシとして利用可能な広告用印刷物であって、所定の箇所に剥離可能な接着剤が塗布され、圧着されていて左右に開くことができるようになっており、表面の所定の箇所に葉書部分を設けてある。この印刷物では、葉書部分がミシン目で切り取られるようになっており、その葉書部分は紙を２枚重ねたようになっているので、葉書としての重さ、厚さ等の条件を適合させることができる。
【０００４】
特許文献２に記載の印刷物は、左側面部と中央面部と右側面部とからなる印刷物であって、中央面部に葉書部分が区画されており、左側面部の裏面は葉書部分の上部、下部、左側部の内側及び外側に該当する部分に粘着剤が塗布され、右側面部の裏面は葉書部分の上部、下部、右側部の内側及び外側に該当する部分に粘着剤が塗布され、左側面部の裏面及び右側面部の裏面が中央面部の裏面及び葉書部分に貼着されており、葉書部分の周囲に切込みが入った形態をしている。この印刷物では、左側面部と右側面部を開くと、最初に開いた方に葉書部分が貼着したまま付いてくるので、印刷物を開くだけで自動的に葉書部分を手にすることができる。
【先行技術文献】
【特許文献】
【０００５】
【特許文献１】実用新案登録第３０９６９１０号公報
【特許文献２】特開２００５−２３８５０３号公報
【発明の概要】
【発明が解決しようとする課題】
【０００６】
上記の引用文献１に記載の印刷物は、読者にとって葉書部分をミシン目で切り取らなければならないという手間がかかる。また、引用文献２に記載の印刷物は、このような手間はかからないものの、粘着剤で仮止めしている葉書部分を外れにくくするため、葉書面に対する粘着剤の塗布量が多くなり、この粘着剤の付いた部分は記入しにくくなるので、葉書面における記入部分が制約を受けるという問題が生じる。また、見開きを開くと葉書部分が引っ繰り返ってしまい、開く前と同じ面が出現することになり、葉書部分を取り外して記入しなければならないという問題もある。
【０００７】
本発明は、上記のような背景に鑑みてなされたものであり、その目的とするところは、記入部分における粘着剤を最小限にすることができ、また記入後に葉書部分を取り外すという使い方のできる葉書付き印刷物を提供することにある。
【課題を解決するための手段】
【００１０】
本発明に係る葉書付き印刷物は、中央シート部の左右にそれぞれ側方シート部が折返し状態で連設されており、左右の側方シート部を開くことで見開き状態にできる印刷物であって、中央シート部には、左右の側方シート部のいずれもが掛かる位置に葉書部分が切抜きにより区画されており、左右の側方シート部は、いずれもが葉書部分を除く周辺領域で粘着剤により中央シート部に貼着されており、一方の側方シート部が重なる切抜きのところに葉書部分が動かないようにつなぎが残されており、他方の側方シート部が重なる葉書部分のところに位置する仮止め箇所で葉書部分は浮き上がらないように粘着剤により他方の側方シート部と貼着されていることを特徴とする。
【００１１】
この葉書付き印刷物は、左右の側方シート部の下に位置する中央シート部に葉書部分が切抜きにより区画されているが、一方の側方シート部のところでは切抜きにつなぎがあり、他方の側方シート部のところでは当該側方シート部と仮止め箇所で貼着されているので、葉書部分は中央シート部から外れるのが防止されている。そして、左右の側方シート部を剥がして見開き状態にすると、葉書部分は切抜きにより囲まれるが、その切抜きに残されたつなぎにより中央シート部と一体化したままになる。したがって、見開いた状態で記入してからつなぎを破断して葉書部分を取り外すことができる。
【００１２】
また、本発明に係る葉書付き印刷物は、中央シート部の左右にそれぞれ側方シート部が折返し状態で連設されており、左右の側方シート部を開くことで見開き状態にできる印刷物であって、左右の側方シート部の間に隙間があり、中央シート部には、左右の側方シート部のいずれもが掛かる位置に葉書部分が切抜きにより区画されており、左右の側方シート部は、いずれもが葉書部分を除く周辺領域で粘着剤により中央シート部に貼着されており、葉書部分を区画する切抜きには、左右の側方シート部の間にある隙間のところに葉書部分が動かないようにつなぎが残されており、少なくとも左右いずれか一方の側方シート部が重なる葉書部分のところに位置する仮止め箇所で葉書部分は浮き上がらないように粘着剤により左右いずれかの側方シート部と貼着されていることを特徴とする。
【００１３】
この葉書付き印刷物は、左右の側方シート部の間に隙間による段差があるので、葉書部分の周囲にハーフカット装置で半抜きして切抜きを形成する際に、刃先の一部を欠いた打抜き刃を使用することなく切抜きの途中につなぎを形成することができる。そして、左右の側方シート部の下に位置する中央シート部に葉書部分が切抜きにより区画されているが、左右の側方シート部の間には切抜きにつなぎがあり、少なくとも左右いずれか一方の側方シート部のところでは当該側方シート部と仮止め箇所で貼着されているので、葉書部分は中央シート部から外れるのが防止されている。そして、左右の側方シート部を剥がして見開き状態にすると、葉書部分は切抜きにより囲まれるが、その切抜きに残されたつなぎにより中央シート部と一体化したままになる。したがって、見開いた状態で記入してからつなぎを破断して葉書部分を取り外すことができる。
【００１４】
また、本発明に係る葉書付き印刷物は、中央シート部の左右にそれぞれ側方シート部が折返し状態で連設されており、左右の側方シート部を開くことで見開き状態にできる印刷物であって、左右の側方シート部は、いずれもが周辺領域で粘着剤により中央シート部に貼着されており、いずれか一方の側方シート部には、葉書部分が切抜きにより区画されており、側端縁に近い方か遠い方のいずれかに位置する切抜きのところに葉書部分が動かないようにつなぎが残されており、つなぎが残された方とは反対側に位置する仮止め箇所で葉書部分は浮き上がらないように粘着剤により中央シート部と貼着されていることを特徴とする。
【００１５】
この葉書付き印刷物は、いずれか一方の側方シート部に葉書部分が切抜きにより区画されているが、側端縁に近い方か遠い方のいずれかに位置する切抜きのところにつなぎがあり、つなぎが残された方とは反対側に位置する仮止め箇所で中央シート部と貼着されているので、葉書部分は一方の側方シート部から外れるのが防止されている。そして、印刷物において一方の側方シート部を剥がすと、葉書部分は切抜きにより囲まれるが、つなぎにより一方の側方シート部と一体化したままになる。したがって、見開いた状態で記入してからつなぎを破断して葉書部分を取り外すことができる。
【００１６】
また、本発明に係る葉書付き印刷物は、中央シート部の左右いずれかに側方シート部が折返し状態で連設されており、その側方シート部を開くことで見開き状態にできる印刷物であって、側方シート部は、周辺領域で粘着剤により中央シート部に貼着されており、その側方シート部には、葉書部分が切抜きにより区画されており、側端縁に近い方か遠い方のいずれかに位置する切抜きのところに葉書部分が動かないようにつなぎが残されており、つなぎが残された方とは反対側に位置する仮止め箇所で葉書部分は浮き上がらないように粘着剤により中央シート部と貼着されていることを特徴とする。
【００１７】
この葉書付き印刷物は、側方シート部に葉書部分が切抜きにより区画されているが、側端縁に近い方か遠い方のいずれかに位置する切抜きのところにつなぎがあり、つなぎが残された方とは反対側に位置する仮止め箇所で中央シート部と貼着されているので、葉書部分は側方シート部から外れるのが防止されている。そして、側方シート部を剥がして見開き状態にすると、葉書部分は切抜きにより囲まれるが、つなぎにより側方シート部と一体化したままになる。したがって、見開いた状態で記入してからつなぎを破断して葉書部分を取り外すことができる。
【発明の効果】
【００１８】
本発明の葉書付き印刷物は、見開き可能な印刷物において葉書部分を切抜きで区画するが、その葉書部分の周囲にある切抜きにつなぎを残し、葉書部分が浮き上がらないように仮止め箇所で対向するシート部に粘着剤により貼着するようにしたので、葉書部分を仮止めする粘着剤の塗布量が少なくて済み、記入部分における粘着剤を最小限にすることができる。また、印刷物を見開いた面と葉書部分の記入面とが同じになるため、開いた印刷面を見ながら葉書面に記入し、その後に葉書部分を取り外すという使い方ができる。
【図面の簡単な説明】
【００１９】
【図１】本発明に係る第１実施形態の葉書付き印刷物の一例を示す平面図である。
【図２】図１の葉書付き印刷物を開いた状態で示す展開図である。
【図３】本発明に係る第２実施形態の葉書付き印刷物の一例を示す平面図である。
【図４】図３の葉書付き印刷物を開いた状態で示す展開図である。
【図５】本発明に係る第３実施形態の葉書付き印刷物の一例を示す平面図である。
【図６】図５の葉書付き印刷物を開いた状態で示す展開図である。
【発明を実施するための形態】
【００２０】
次に、本発明の実施形態について図面を参照しながら詳細に説明する。
【００２１】
〔第１実施形態〕
図１は本発明に係る第１のタイプの葉書付き印刷物Ａ1 を示し、図２は図１に示す葉書付き印刷物Ａ1 を開いた状態で示す展開図である。
【００２２】
図１に示す葉書付き印刷物Ａ1 は、新聞の折込みチラシのサイズをした見開きタイプのチラシである。図１は未開封状態であり、その展開形状は、図２に示すように、中央シート部１１の左右にそれぞれ側方シート部１２，１３が連設した横長状をしており、右側の側方シート部１３よりも左側の側方シート１２の方が幅が広く、両者を合わせた幅が中央シート部１１と同じである。すなわち、中央シート部１１の左右にそれぞれ側方シート部１２，１３が折返し状態で連設されており、左右の側方シート部１２，１３を開くことで見開き状態にできるようになっている。
【００２３】
中央シート部１１には、左右の側方シート部１２，１３のいずれもが掛かる位置に葉書部分１４が切抜きａにより区画されており、左右の側方シート部１２，１３は、いずれもが葉書部分１４を除く周辺領域で粘着剤ｇにより中央シート部１１に貼着されている。ここで、図２に示すように、葉書部分１４を所定の紙厚とするため、中央シート部１１の右寄りの位置に帯状の補強用紙１５を貼着している。また、左右の側方シート部１２，１３に、それらが向かい合う下端コーナー部分に粘着剤ｇの未塗布部分を設けておくことで、見開き時の取っ掛かり部分を形成している。
【００２４】
そして、右側の側方シート部１３が重なる切抜きａのところ、すなわちここでは葉書部分１４の右辺に上下２つのつなぎαが残されており、これによって葉書部分１４が動かないようになっている。また、左側の側方シート部１２が重なる葉書部分１４のところに位置する２箇所の仮止め箇所１６で葉書部分１４は浮き上がらないように粘着剤ｇにより貼着されている。この仮止め箇所１６は、葉書部分１４が浮き上がりを防止すればよいので小さくてよく、サイズ、個数、場所は紙厚等に応じて適宜決めればよいものである。
【００２５】
このように、図１に示す葉書付き印刷物Ａ1 は、左右の側方シート部１２，１３の下に位置する中央シート部１１に葉書部分１４が切抜きａにより区画されているものの、右側の側方シート部１３のところでは切抜きａにつなぎαがあり、左側の側方シート部１２のところではその側方シート部１２と仮止め箇所１５で粘着剤により貼着されているので、葉書部分１４は中央シート部１１から外れるのが防止されている。
【００２６】
図１の葉書付き印刷物Ａ1 を製造する手順は次のようである。まず、連続用紙を送りながら印刷機により所定の印刷を施した後、図２に示す位置に粘着剤ｇを糊付けしてから、左右の側方シート部１２，１３を折り返してそれぞれ中央シート部１１に貼り合わせる。次いで、連続用紙のままハーフカット装置に送り、葉書部分１４の周囲を半抜きして切抜きａを形成する。この半抜きに際し、刃先の一部を欠いた打抜き刃を使用してつなぎαを残すようにする。そして、連続用紙の状態から横方向に次々と断裁して個々の葉書付き印刷物Ａ1 が得られる。
【００２７】
この葉書付き印刷物Ａ1 は、図１の矢印でに示すように、左右の側方シート部１２，１３をその取っ掛かり部分をきっかけとして剥がすことで見開き状態とする。このとき、葉書部分１４は切抜きａにより囲まれるが、つなぎαにより中央シート部１１と一体化したままになる。したがって、見開いた状態で記入してからつなぎαを破断して葉書部分１４を取り外すことができる。
【００２８】
〔第２実施形態〕
図３は本発明に係る第２のタイプの葉書付き印刷物Ａ2 を示し、図４は図３に示す葉書付き印刷物Ａ2 を開いた状態で示す展開図である。
【００２９】
図３に示す葉書付き印刷物Ａ2 は、新聞の折込みチラシのサイズをした見開きタイプのチラシである。図３は未開封状態であり、その展開形状は、図４に示すように、中央シート部２１の左右にそれぞれ側方シート部２２，２３が連設した横長状をしており、右側の側方シート部２３よりも左側の側方シート２２の方が幅が広く、両者を合わせた幅が中央シート部１１よりわずかに小さくなっており、左右の側方シート部２２，２３の間に隙間ｂがある。すなわち、この葉書付き印刷物Ａ2 も、中央シート部２１の左右にそれぞれ側方シート部２２，２３が折返し状態で連設されており、左右の側方シート部２２，２３を開くことで見開き状態にできるようになっている。
【００３０】
中央シート部２１には、左右の側方シート部２２，２３のいずれもが掛かる位置に葉書部分２４が切抜きａにより区画されており、左右の側方シート部２２，２３は、いずれもが葉書部分２４を除く周辺領域で粘着剤ｇにより中央シート部２１に貼着されている。ここで、図２に示すように、葉書部分２４を所定の紙厚とするため、中央シート部２１の右寄りの位置に帯状の補強用紙２５を貼着している。また、左右の側方シート部２２，２３に、それらが向かい合う下端コーナー部分に粘着剤ｇの未塗布部分を設けておくことで、見開き時の取っ掛かり部分を形成している。
【００３１】
そして、葉書部分２４を区画する切抜きａには、左右の側方シート部２２，２３の間にある隙間ｂのところにつなぎαが残されており、これによって葉書部分２４が動かないようになっている。また、左側の側方シート部２２が重なる葉書部分２４のところに位置する２箇所の仮止め箇所２６と、左側の側方シート部２２が重なる葉書部分２４のところに位置する２箇所の仮止め箇所２７とで、葉書部分２４は浮き上がらないように粘着剤ｇにより貼着されている。これらの仮止め箇所２６，２７は、葉書部分２４が浮き上がりを防止すればよいので小さくてよく、サイズ、個数、場所は紙厚等に応じて適宜決めればよいものである。また、例えば、つなぎαの位置が葉書部分２４の左にもっと寄っている場合は、左側の側方シート部２２は浮き上がらないので、こちらの仮止め箇所２６は省略することができる。
【００３２】
このように、図３に示す葉書付き印刷物Ａ2 は、左右の側方シート部２２，２３の下に位置する中央シート部２１に葉書部分２４が切抜きａにより区画されているものの、左右の側方シート部２２，２３の間には切抜きａにつなぎαがあり、側方シート部２２，２３の少なくともいずれか一方のところではその側方シート部と仮止め箇所で粘着剤により貼着されているので、葉書部分２４は中央シート部２１から外れるのが防止されている。
【００３３】
図３の葉書付き印刷物Ａ2 を製造する手順は次のようである。まず、連続用紙を送りながら印刷機により所定の印刷を施した後、図４に示す位置に粘着剤ｇを糊付けしてから、左右の側方シート部２２，２３を折り返してそれぞれ中央シート部２１に貼り合わせる。次いで、連続用紙のままハーフカット装置に送り、葉書部分２４の周囲を半抜きして切抜きａを形成する。この半抜きに際しては、刃先の連続した打抜き刃を使用すればよい。すなわち、左右の側方シート部２２，２３の間には隙間ｂによる段差があるので、刃先の一部を欠いた打抜き刃を使用しなくても切抜きａの途中で隙間に対応する部分につなぎαを形成することができる。
【００３４】
この葉書付き印刷物Ａ2 は、図３の矢印でに示すように、左右の側方シート部２２，２３をその取っ掛かり部分をきっかけとして剥がすことで見開き状態とする。このとき、葉書部分２４は切抜きａにより囲まれるが、切抜きａに残されたつなぎαにより中央シート部２１と一体化したままになる。したがって、見開いた状態で記入してからつなぎαを破断して葉書部分２４を取り外すことができる。
【００３５】
〔第３実施形態〕
図５は本発明に係る第３のタイプの葉書付き印刷物Ａ3 を示し、図６は図５に示す葉書付き印刷物Ａ3 を開いた状態で示す展開図である。
【００３６】
図５に示す葉書付き印刷物Ａ3 は、新聞の折込みチラシのサイズをした見開きタイプのチラシである。図５は未開封状態であり、その展開形状は、図６に示すように、中央シート部３１の左右にそれぞれ側方シート部３２，３３が連設した横長状をしており、両者の幅は同じで、かつ両者を合わせた幅が中央シート部３１と同じになっている。すなわち、中央シート部３１の左右にそれぞれ同じ幅の側方シート部３２，３３が折返し状態で連設されており、左右の側方シート部３２，３３を開くことで見開き状態にできるようになっている。
【００３７】
右側の側方シート部３３には葉書部分３４が切抜きａにより区画されており、左右の側方シート部３２，３３は、いずれもが周辺領域で粘着剤ｇにより中央シート部３１に貼着されている。ここで、図６に示すように、葉書部分３４を所定の紙厚とするため、右側の側方シート部３３に帯状の補強用紙３５を貼着している。また、左右の側方シート部３２，３３に、それらが向かい合う下端コーナー部分に粘着剤ｇの未塗布部分を設けておくことで、見開き時の取っ掛かり部分を形成している。
【００３８】
そして、側端縁に近い方の切抜きａのところ、すなわちここでは葉書部分３４の右辺に上下２つのつなぎαが残されており、これによって葉書部分３４が動かないようになっている。また、側端縁から遠い葉書部分３４のところに位置する２箇所の仮止め箇所３６で葉書部分３４は浮き上がらないように粘着剤ｇにより貼着されている。この仮止め箇所３６は、葉書部分３４が浮き上がりを防止すればよいので小さくてよく、サイズ、個数、場所は紙厚等に応じて適宜決めればよいものである。
【００３９】
このように、図５に示す葉書付き印刷物Ａ3 は、右側の側方シート部３３に葉書部分３４が切抜きａにより区画されているものの、側端縁に近い方の切抜きのところにつなぎαがあり、側端縁から遠い葉書部分のところで中央シート部３１と仮止め箇所３６で粘着剤により貼着されているので、葉書部分１４は右側の側方シート部３３から外れるのが防止されている。
【００４０】
図５の葉書付き印刷物Ａ3 を製造する手順は次のようである。まず、連続用紙を送りながら印刷機により所定の印刷を施した後、図６に示す位置に粘着剤ｇを糊付けしてから、左右の側方シート部３２，３３を折り返してそれぞれ中央シート部３１に貼り合わせる。次いで、連続用紙のままハーフカット装置に送り、葉書部分３４の周囲を半抜きして切抜きａを形成する。この半抜きに際し、刃先の一部を欠いた打抜き刃を使用してつなぎαを残すようにする。そして、連続用紙の状態から横方向に次々と断裁して個々の葉書付き印刷物Ａ3 が得られる。
【００４１】
この葉書付き印刷物Ａ3 は、図５の矢印でに示すように、左右の側方シート部３２，３３をその取っ掛かり部分をきっかけとして剥がすことで見開き状態とする。このとき、葉書部分３４は切抜きａにより囲まれるが、つなぎαにより右側の側方シート部３３と一体化したままになる。したがって、見開いた状態で記入してからつなぎαを破断して葉書部分３４を取り外すことができる。
【００４２】
図５に示す葉書付き印刷物Ａ3 では、図６に示すように、側端縁に近い方の切抜きａのところに葉書部分３４が動かないようにつなぎαを残し、側端縁から遠い葉書部分３４のところに粘着剤ｇによる仮止め箇所３６を設けたが、接着力の弱い粘着剤ｇを用いる場合は、仮止め箇所が簡単に剥がれるので、側端縁に遠い方の切抜きａのところにつなぎを残し、側端縁に近い葉書部分３４のところに仮止め箇所を設けるようにしてもよい。
【００４３】
＜第３実施形態の変形例＞
本発明の葉書付き印刷物は、図５に示す葉書付き印刷物Ａ3 において、左半分がなく右半分のみとした形態を採ることもできる。このサイズのチラシは、情報量が少ないときに利用される。中央シート部３１が縦方向に二分した半分のサイズとなり、その中央シート部３１の右側に側方シート部３３が折返し状態で連設した縦長状となる。すなわち、側方シート部３３は、周辺領域で粘着剤ｇにより中央シート部３１に貼着されており、その側方シート部３３を開くことで見開き状態にできるものである。
【００４４】
そして、側方シート部３３に、葉書部分３４が切抜きａにより区画されており、側端縁に近い方の切抜きａのところに葉書部分３４が動かないようにつなぎαが残され、側端縁から遠い葉書部分３４のところに位置する仮止め箇所３６で葉書部分３４は浮き上がらないように粘着剤により中央シート部３１と貼着されたものになる。
【００４５】
この葉書付き印刷物は、側方シート部３３に葉書部分３４が切抜きにより区画されているが、側端縁に近い方の切抜きａのところにつなぎαがあり、側端縁から遠い葉書部分３４のところで中央シート部３１と仮止め箇所３６で貼着されているので、葉書部分３４は側方シート部３３から外れるのが防止される。そして、側方シート部３３を側端縁の方から剥がして見開き状態にすると、葉書部分３４は切抜きａにより囲まれるが、つなぎαにより側方シート部３３と一体化したままになる。したがって、見開いた状態で記入してからつなぎαを破断して葉書部分３４を取り外すことができる。
【００４６】
この変形例で説明した葉書付き印刷物では、側端縁に近い方の切抜きａのところに葉書部分３４が動かないようにつなぎαを残し、側端縁から遠い葉書部分３４のところに仮止め箇所３６を設けることになるが、接着力の弱い粘着剤ｇを用いる場合は、仮止め箇所が簡単に剥がれるので、第３実施形態で説明したのと同様、側端縁に遠い方の切抜きａのところにつなぎを残し、側端縁に近い葉書部分３４のところに仮止め箇所を設けるようにしてもよい。
【００４７】
以上、本発明を実施するための形態について詳細に説明してきたが、本発明による葉書付きチラシは、上記の実施形態に何ら限定されるものではなく、本発明の趣旨を逸脱しない範囲において種々の変更が可能であることは当然のことである。例えば、上記の各実施形態で説明したのと左右が逆になった形態を採ることもできる。
【産業上の利用可能性】
【００４８】
本発明の葉書付き印刷物は、チラシのほかに、葉書のように筆記を伴う部分を分離して使用するような印刷物にも適用が可能である。
【符号の説明】
【００４９】
Ａ1 ，Ａ2 ，Ａ3   葉書付き印刷物
１１  中央シート部
１２，１３  側方シート部
１４  葉書部分
１５  補強用紙
１６  仮止め箇所
２１  中央シート部
２２，２３  側方シート部
２４  葉書部分
２５  補強用紙
２６，２７  仮止め箇所
３１  中央シート部
３２，３３  側方シート部
３４  葉書部分
３５  補強用紙
３６  仮止め箇所
ａ  切抜き
ｂ  隙間
ｇ  粘着剤
α  つなぎ
【図１】
0005510827.tif 000002
【図２】
0005510827.tif 000003
【図３】
0005510827.tif 000004
【図４】
0005510827.tif 000005
【図５】
0005510827.tif 000006
【図６】
0005510827.tif 000007